(57)【要約】  照明装置（１）は、第１の冷却体（５）と支持基板（８）と第２の冷却体（１０）とを有しており、支持基板（８）の表側の面が少なくとも１つの光源（９）、特に発光ダイオードを備えていて、該支持基板（８）の裏側の面が第１の冷却体（５）に取り付けられており、第２の冷却体（１０）が、実質的に前記支持基板（８）の前方に配置されており、前記少なくとも１つの光源（９）が、第２の冷却体（１０；３２）の外側に配置されている。
2013517609.tif 000002
【特許請求の範囲】
【請求項１】
照明装置（１；３１）、特に白熱ランプ代替ＬＥＤレトロフィットランプであって、
−第１の冷却体（５）が設けられており、
−支持基板（８）が設けられており、該支持基板（８）の表側の面が少なくとも１つの光源（９）、特に発光ダイオードを備えていて、該支持基板（８）の裏側の面が第１の冷却体（５）に取り付けられており、
−第２の冷却体（１０；３２）が設けられており、該第２の冷却体（１０；３２）が、実質的に前記支持基板（８）の前方に配置されており、
−前記少なくとも１つの光源（９）が、第２の冷却体（１０；３２）の外側に配置されている
ことを特徴とする照明装置（１；３１）。
【請求項２】
支持基板（８）が、少なくとも２つの光源（９）を備えており、該光源（９）が、第２の冷却体（１０；３２）に対して対称的に配置されている、請求項１記載の照明装置（１；３１）。
【請求項３】
第２の冷却体（１０；３２）が、前記少なくとも１つの光源（９）のためのリフレクタとして構成されている、請求項１または２記載の照明装置（１；３１）。
【請求項４】
第２の冷却体（１０；３２）が、支持基板（８）から起立した少なくとも１つの環状の範囲（１１）を有している、請求項１から３までのいずれか１項記載の照明装置（１；３１）。
【請求項５】
第２の冷却体（１０；３２）が、前記環状の範囲（１１）から少なくとも側方で外側へ向かって延びる範囲（１２）を有している、請求項４記載の照明装置（１；３１）。
【請求項６】
第２の冷却体（１０；３２）の少なくとも１つの外面（１４）が、少なくとも部分的に反射性に形成されている、請求項３から５までのいずれか１項記載の照明装置（１；３１）。
【請求項７】
第１の冷却体（５）が、少なくとも１つの冷却構造体（６）、特に冷却ステーまたは冷却フィンを有している、請求項１から６までのいずれか１項記載の照明装置（１；３１）。
【請求項８】
前記少なくとも１つの冷却構造体（６）の後側の範囲がベース（２）に載置されており、該ベース（２）が、中心の範囲において前方に向かって膨出されている、請求項７記載の照明装置（１；３１）。
【請求項９】
支持基板（８）の表側の面が、少なくとも１つの電子構成素子（２２）を備えており、該電子構成素子（２２）が、第２の冷却体（１０）の環状の範囲（１１）によって取り囲まれている、請求項１から８までのいずれか１項記載の照明装置（１）。
【請求項１０】
当該照明装置（３１）が、第１の冷却体（５）から支持基板（８）と第２の冷却体（３２）とを通って一貫して延びる空気通路（３３，３５ａ，３５ｂ）を有している、請求項１から９までのいずれか１項記載の照明装置（３１）。
【請求項１１】
当該照明装置が、第１の冷却体（５）と支持基板（８）とを貫いて第２の冷却体（１０）に通じた貫通案内部（１９，２５，２１，３８）を有しており、該貫通案内部（１９，２５，２１，３８）が、第２の冷却体（１０）において側方に導出されている、請求項１０記載の照明装置（３１）。
【請求項１２】
当該照明装置（１；３１）が、カバー、特にディフューザ（１３）を有しており、該ディフューザ（１３）が、第１の冷却体と第２の冷却体との間に延びていて、少なくともＬＥＤモジュールのための中空室を形成している、請求項１から１１までのいずれか１項記載の照明装置（１；３１）。
【請求項１３】
前記カバー（１３）が、装着縁部と切欠きとを備えた球台形の基本形状を有しており、前記カバー（１３）が、第１の冷却体（５）と第２の冷却体（１０；３２）との間に緊締されている、請求項１２記載の照明装置。
【請求項１４】
第１の冷却体と第２の冷却体とが、接触し合っており、特にコード化されて接触し合っている、請求項１から１３までのいずれか１項記載の照明装置（１；３１）。
【請求項１５】
支持基板（８）が、当該照明装置（１；３１）の最も広幅の個所（Ｑ）の前方に配置されている、請求項１から１４までのいずれか１項記載の照明装置（１；３１）、特に白熱ランプ代替ＬＥＤレトロフィットランプ。
【発明の詳細な説明】
【技術分野】
【０００１】
本発明は照明装置、特にＬＥＤレトロフィットランプ、すなわちＬＥＤ後付けランプ（LED-Retrofitlampe）に関する。
【０００２】
ＬＥＤランプにおける主問題は、発光ダイオード（ＬＥＤ）の損失熱の排出である。冷却によってＬＥＤの寿命も効率も向上する。したがって、ＬＥＤランプを設計する際の主眼点は、できるだけ大きな冷却面を形成することにある。コンベンショナルな白熱球に替わりＬＥＤランプ（白熱ランプ代替ＬＥＤレトロフィットランプ）を使用するためには、以下に挙げる問題が生ぜしめられる：均一な放射および慣用の形状を達成するか、または少なくともこれらに近付けるために、典型的には球形のディフューザ（拡散体）または半透明のランプバルブがランプに装着される。このディフューザが後方へ向かって、つまりベース（口金）へ向かって、半球形状を越えて延びている場合にのみ、光線の小さな部分が後方へ向かっても、つまり後側の半割室内へも放射される。このことは、クラシカルな白熱ランプを模倣するために重要となる。しかしその場合、ディフューザのために必要とされる空間は、もはやＬＥＤを冷却するためのヒートシンクもしくは冷却体としては使用されない。したがって、このような公知のディフューザの形状は半割球体または所属の半割球体よりも大きく形成された球冠体に相当している。プラスチックまたはガラスから成るディフューザを装着することはこれまでに知られている。
【０００３】
本発明の課題は、上で挙げた不都合の１つまたは幾つかを回避し、特に改善された冷却のための手段を有すると同時に、特に一層良好に分配された光線放射、特に側部および／または後側の半割室への増幅された光線放射を有する照明装置を提供することである。
【０００４】
この課題は、請求項１に記載の特徴により解決される。請求項２以下には、本発明の有利な実施態様が記載されている。
【０００５】
上記課題は、照明装置であって、該照明装置が、第１の冷却体（第１のヒートシンク）と支持基板（たとえばボードもしくはプリント配線板）と第２の冷却体（第２のヒートシンク）とを有しており、支持基板の表側の面が少なくとも１つの光源を備えていて、支持基板の裏側の面が第１の冷却体に取り付けられており、第２の冷却体が、実質的に支持基板の前方に配置されており、前記少なくとも１つの光源が、第２の冷却体の外側に配置されていることを特徴とする照明装置により解決される。
【０００６】
これにより、前記少なくとも１つの光源により発生させられて支持基板へ伝達された損失熱は、第１の冷却体を介して導出される以外に、付加的に支持基板の他方の側において第２の冷却体を介して導出され得るようになる。こうして、照明装置を拡大させる必要なしに光源の冷却が改善される。
【０００７】
「支持基板の前方に配置されており」とは、特に当該照明装置の長手方向に関して支持基板よりもさらに前方へ、もしくは支持基板よりもさらに照明装置の前端部へ向かって位置決めされている配置を意味する。「第２の冷却体の外側に配置されている」とは、特に前記少なくとも１つの光源が、長手方向に関して、ほぼ同じ高さまたは同じ長手方向位置に配置された第２の冷却体よりもさらに（半径方向）外側に配置されているような配置を意味する。
【０００８】
支持基板は、特にプラスチックコア、ラミネートコアまたは金属コアを備えたボードまたはプリント配線板および／または前記少なくとも１つの光源のための別の支持体、たとえばサブマウントまたはモジュールであってよい。
【０００９】
支持基板の裏面は、たとえばＴＩＭ（「Thermal Interface Material」）、たとえば接着ペーストまたはＴＩＭシートを介して第１の冷却体に取り付けられていてよい。択一的にまたは付加的に、支持基板は接着および／または締付け固定されていてもよい。
【００１０】
光源の種類は制限されておらず、特にレーザダイオードまたは発光ダイオードのような半導体光源であってよい。複数の発光ダイオードが存在する場合、これらの発光ダイオードは同じ色または種々異なる色で発光することができる。１つの色はモノクロームもしくは単色（たとえば赤、緑、青等）またはマルチクロームもしくは多色（たとえば白）であってよい。また、前記少なくとも１つの発光ダイオードから放出された光線は赤外線（ＩＲ−ＬＥＤ）または紫外線（ＵＶ−ＬＥＤ）であってもよい。複数の発光ダイオードにより、混合光線、たとえば白色の混合光線を発生させることができる。前記少なくとも１つの発光ダイオードは、波長を変換する少なくとも１種の蛍光体を含んでいてよい（変換ＬＥＤ）。前記少なくとも１つの発光ダイオードは、個々にパッケージ封入された少なくとも１つの発光ダイオードの形または少なくとも１つのＬＥＤチップの形で提供され得る。複数のＬＥＤチップが１つの共通の基板（「サブマウント」）に組み付けられていてもよい。前記少なくとも１つの発光ダイオードはビーム案内のための少なくとも１つの固有のかつ／または共通のレンズ系、たとえば少なくとも１つのフレネルレンズ、コリメータ等を備えていてよい。たとえばＩｎＧａＮまたはＡｌＩｎＧａＰを主体とした無機発光ダイオードの代わりにまたはこれに対して付加的に、一般に有機ＬＥＤ（ＯＬＥＤ、たとえばポリマＯＬＥＤ）も使用可能である。
【００１１】
第１の冷却体および／または第２の冷却体は、少なくとも１５Ｗ／（ｍ・Ｋ）の熱伝導率を有する良熱伝導性の材料から成っていてよい。第１の冷却体および／または第２の冷却体は、特に金属、特にアルミニウムおよび／または銅またはその合金から成っていてよい。
【００１２】
本発明の有利な構成では、支持基板が、少なくとも２つの光源を備えており、該光源が、第２の冷却体に対して対称的に配置されている。たとえば、支持基板が少なくとも２つの光源を備えていて、第２の冷却体が、これらの光源の１つの共通の中心点に配置されていてよい。こうして、第２の冷却体を介した均一な熱導出もしくは放熱を達成することができる。
【００１３】
さらに別の有利な構成では、支持基板が、少なくとも３つの光源を備えており、これらの光源が、第２の冷却体を巡るように環状に配置されている。こうして、良好な熱導出を達成することができると同時に、第２の冷却体のコンパクトな構造を達成することができる。
【００１４】
さらに別の有利な構成では、第２の冷却体が、前記少なくとも１つの光源のための反射体もしくはリフレクタとして構成されている。これにより、別の構成エレメントなしに（つまりコンパクトでかつ廉価に）、光源から特に前側の空間範囲へ（「前方に向かって」）放射された光線を側方へ、かつ／または後側の半割室へ変向させることができる。このことは、慣用の白熱ランプの放射特性への近似を改善する。
【００１５】
光源は特に、該光源が、真っ直ぐに前方に向けられた主放射方向または光軸を有するように位置調整されていてよい。前記少なくとも１つの光源は特に、当該照明装置の長手方向軸線に対して平行に向けられた光軸を有していてよい。
【００１６】
択一的には、側方に放射される光線の割合を一層高めるために、前記少なくとも１つの光源が、斜め内側へ向けられているか、または斜めに放射される光線の高い割合を有していてよい。
【００１７】
反射性の範囲もしくはリフレクタは、鏡面反射性のリフレクタおよび／または拡散リフレクタであってよい。反射特性は、たとえば第２の冷却体の表面処理、ラッカ塗布、被覆等により達成され得る。
【００１８】
さらに別の有利な構成では、第１の冷却体および／または第２の冷却体が、それぞれ少なくとも１つの冷却構造体（冷却フィン、冷却ステー、冷却ピン等）を有している。これにより、第１の冷却体および／または第２の冷却体は、増幅して熱を放出することができる。
【００１９】
さらに別の有利な構成では、第２の冷却体が、支持基板から起立した少なくとも１つの環状もしくは中空円筒状の範囲または「リング」を有している。これにより、小さな重量において、安定した足場と大きな表面とを得ることができる。
【００２０】
さらに別の有利な構成では、第２の冷却体が、前記リングを越えて側方に延びる範囲もしくは前記リングを起点として側方に延びる範囲を有している。これにより、第２の冷却体から熱を導出するための、より大きな表面を達成することができる。
【００２１】
さらに別の改良形では、第２の冷却体が、側方で外側に向かってリングを越えて延びる範囲（「つば」）を有している。
【００２２】
さらに別の有利な構成では、側方に延びる範囲が前記リングをカバーしている（「キャップ」）。したがって、前記側方に延びる範囲は外側に向かって延びていないか、または外側へ向かって延びるだけではなく、内側へ向かっても延びていて、これによって第２の冷却体の前記リングもしくは中空円筒状の範囲の上側のトップ面を少なくとも部分的に覆っている。言い換えれば、第２の冷却体は、環状の範囲に装着されたカバーまたは「キャップ」を有する（逆）ポット状の形状を有していてよいか、もしくはその基本形状が、片側でほぼ閉じられた中空円筒体に相当している。この場合、外側に向かって延びるつばが付加的に存在していてよい（特にキャップの一部として）。その場合、第２の冷却体は、たとえばほぼ「茸形」の外側輪郭を有することができる。こうして、特に大きな冷却面を提供することができる。また、前記カバーによって、前記リングにより取り囲まれた内室を、直接的に手が届かないように保護することができる。
【００２３】
このような配置形式は熱導出を一層助成することができ、そしてキャップもしくは前記側方に延びる範囲が、前記リングの前端部（つまり支持基板に対する前記リングの接触端部とは反対の側の前記リングの端部）に位置している場合に特に効果的となる。なぜならば、前記少なくとも１つの光源よりも前方の前側の範囲が、しばしば、支持基板近傍の範囲よりも低温となるので、この比較的低温の範囲で第２の冷却体の表面を拡大することにより、一層効果的な冷却が可能となるからである。
【００２４】
前記リングは択一的には、前記リングから側方で外側へ向かって延びる範囲またはつば、特に球台（Kugelschicht）または円セグメントの形の特に環状の範囲だけを有していてよい。特に、たとえば煙突効果による増幅された冷却を可能にするためには、カバーされていない前記リングの一貫した内室が存在していてよい。
【００２５】
第２の冷却体が反射性に形成されている場合、さらに別の有利な構成では、第２の冷却体の少なくとも１つの外面が、少なくとも部分的に反射性を持つように形成されていることが考えられる。こうして、増幅された冷却出力を有する特にコンパクトな照明装置と、前記少なくとも１つの光源により放出された光線の、側方の方向への増幅された反射とが得られる。このことは、特に全般照明白熱ランプの代替使用のために有利である。
【００２６】
特に、第２の冷却体が光源によって対称的に取り囲まれている場合には、周方向において比較的均一な光線放射が得られる。
【００２７】
第２の冷却体が少なくとも、外側もしくは下側または後側で（前記少なくとも１つの光源に向けられて）反射性に形成されているつばを有している場合、特に側方の光線放射またはそれどころか、つばの角度位置に応じて後側の半割室への光線放射を増幅させることができる。これにより、光線放射を、慣用の照明装置、たとえば白熱ランプに一層良好に近似させることができる。
【００２８】
特に、第２の冷却体が、反射性の球台形のつばを備えている場合には、やはり下方へ向かう光線放射もしくは下側の半割室への光線放射を増幅させることができる。これによっても、光線放射を、慣用の照明装置、たとえば白熱ランプに、一層良好に近似させることができる。
【００２９】
さらに別の有利な構成では、支持基板の前側もしくは表側の面が、少なくとも１つの電子構成素子（たとえばドライバ素子、抵抗等）を備えており、該電子構成素子が、第２の冷却体によって取り囲まれている。言い換えれば、前記少なくとも１つの電子構成素子は側方で第２の冷却体によって取り囲まれていてよい。こうして、前記少なくとも１つの光源と前記少なくとも１つの電子構成素子とから放出された熱は、特に効率良く第２の冷却体へ伝達され得るようになる。さらに、こうして、前記少なくとも１つの光源と前記少なくとも１つの電子構成素子とは互いに分離され得るようになる。
【００３０】
さらに別の有利な構成では、当該照明装置が、第１の冷却体から支持基板と第２の冷却体とを通って一貫して延びる空気通路を有している。これにより、第１の冷却体および／または第２の冷却体から熱を増幅して排出することのできる煙突効果を得ることができる。このことは特に、前記空気通路に位置する構成要素に云える。特に前記空気通路は第２の冷却体において、両側で開いたリングまたはリング区分の内室によって少なくとも部分的に形成され得る。空気通路は特に中心に配置されていてよい。
【００３１】
一般に、第１の冷却体の、支持基板とは反対の側は、ベース（口金）またはドライバハウジングに結合されていてよい。ベースは特にドライバを収容するためのハウジング区分（ドライバキャビティ）を有していてよい。ベースは、特にその第１の冷却体とは反対の側の端部において、電気的な接続部、たとえばエジソンねじ山を有していてよい。ベース、特に電気的な接続部は、その場合、当該照明装置の後端部に相当する。当該照明装置の前端部または「先端部」は、特に第２の冷却体により形成され得る。
【００３２】
第１の冷却体は特に、支持基板を載着させるために設けられた、たとえばディスク状の載着範囲を有していてよい。支持基板とは反対の側もしくは後側に向けられた側では、特にこの側から直角に突出した複数の冷却ステー、冷却フィン等が設けられていてよい。これらの冷却ステー等は、特に中心外でかつ当該照明装置の長手方向軸線に関して角度対称的に配置されていてよい。冷却体のこのような構成により、これらの冷却ステー等の間に空気流を発生させることができる。このことは特に有効な冷却を生ぜしめる。この空気流は、当該照明装置が斜めまたは水平に向けられている場合にも作用する。
【００３３】
さらに別の改良形では、ベースが、（当該照明装置の長手方向軸線に関して）中心の範囲において前方に向かって膨出されている。したがって、膨出部は、特に前記少なくとも１つの冷却構造体が、中心外でかつ角度対称的に配置された冷却ステーを有している場合には、前記少なくとも１つの冷却構造体の方向に、または前記少なくとも１つの冷却構造体内へ向かって延びていてよい。これにより、当該照明装置が下方へ向けられて組み付けられた場合に、ベースにおける熱滞留が阻止され、ひいてはドライバキャビティの周辺部における熱滞留が阻止され、このことは冷却作用を一層助成する。
【００３４】
さらに別の有利な構成では、当該照明装置が少なくとも１つの通路、たとえばケーブル通路を有している。この通路はドライバキャビティから第１の冷却体を通ってかつ支持基板を通って延びているか、または支持基板の傍らを通って延びている。これにより、少なくとも１つの電気的な線路、たとえばケーブルが、保護されてドライバキャビティから支持基板にまで、特に支持基板の上面にまで案内され得る。
【００３５】
前記通路は、たとえば（長手方向軸線に関して）中心に、つまり長手方向軸線に対して同心的に延びていてよい。このためには、第１の冷却体が、たとえば中心に配置されたスリーブ状の範囲または貫通案内管を有していてよい。このスリーブ状の範囲または貫通案内管は、たとえば前側では支持基板に設けられた中心の開口に続いていて、後側ではドライバキャビティ内に通じている。
【００３６】
前記通路は、択一的には中心外に延びていてよい。このためには、第１の冷却体が、たとえば冷却構造体、特に前記冷却ステーまたは冷却フィンのうちの少なくとも１つに設けられた一貫して延びる孔、つまり貫通孔を有していてよい。この孔は、たとえば前側では支持基板に設けられた開口に続いていて、後側ではドライバキャビティ内に通じている。
【００３７】
特に中心外に延びる通路は、第２の冷却体にまで延びていてよく、そしてこの第２の冷却体から側方で導出され、特に側方で外側へ向かって導出され得る。この構成では、前記通路を第２の冷却体の内室から分離することができ、これによりこの内室の自由な構成、たとえば空気通路としての構成および／または構成エレメントの収容のための構成を可能にすることができる。
【００３８】
さらに別の有利な構成では、当該照明装置が少なくとも１つの、特に直線状の通路、たとえばねじ孔を有している。この通路は少なくとも第２の冷却体を貫いて、支持基板を通って延びるか、または支持基板の傍らを通って延び、そしてさらに第１の冷却体を貫いてベースにまで延びている。ベースは、取付け部材との係合のための取付け構造体、特にねじ山を有していてよい。これにより、取付け部材、たとえばねじが、外部からまず第２の冷却体を通じて前記通路内に導入され得る。こうして、ベースと第１の冷却体と第２の冷却体と、場合によってはカバー（下部参照）とを、前記少なくとも１つの取付け部材によってのみ結合し、特に締め合わせることができる。
【００３９】
特別な構成では、当該照明装置が、このような（直線状の）通路の少なくとも２つ、特に少なくとも３つを有しており、これらの通路は特に当該照明装置の長手方向軸線に対して角度対称的に配置されていてよい。これにより、特に安定した結合を達成することができる。
【００４０】
直線状の通路は第１の冷却体の内部に、特に冷却ステー等の内部に延びていてよい。このために冷却ステーは、十分な肉厚さを提供するために特殊に形成されていてよく、たとえば、より広幅に形成されていてよい。
【００４１】
１つの通路が、ドライバキャビティに開口した通路、たとえばケーブル通路と、ねじ孔として働く通路との組合せであってもよい。
【００４２】
択一的に、第２の冷却体を第１の冷却体に結合することができ、特にねじ締結により結合することができ、第１の冷却体をこれとは別個にベースに結合することができ、特にねじ締結により結合することができる。
【００４３】
さらに別の有利な構成では、当該照明装置が、光透過性のカバー、特にディフューザ（拡散体）を有しており、このカバーは第１の冷却体と第２の冷却体との間に延びていて、これらの冷却体と共に、少なくともＬＥＤモジュールのための中空室を形成している。カバーは保護カバーとして働くことができ、たとえばランプバルブとして働くことができる。ディフューザとしての構成により、当該照明装置の光線放射を一層均一化することができる。
【００４４】
前記カバーは、第１の冷却体と第２の冷却体とによって保持されるか、もしくは位置固定され得るようになっていて、たとえば第１の冷却体と第２の冷却体との間に緊締されていてよい。前記カバーは、たとえば第１の冷却体および／または第２の冷却体に設けられた相応する凹部、たとえば溝内に挿入され得るようになっており、このために特にそれぞれ１つの所属の突出部、たとえば少なくとも部分的に環状に延びる縁部を有していてよい。
【００４５】
前記カバーはその組付けのために、たとえばまず第２の冷却体に結合され、たとえば第２の冷却体内に差し込まれ、そして結合された構成部分が次いで当該照明装置に装着され得る。したがって、第２の冷却体は特殊なカバーの一部であるとみなすこともできる。この場合、第２の冷却体は前記カバーの光透過性の材料の相応する部分を覆うか、またはこの部分の代わりに使用される。
【００４６】
別の有利な構成では、前記カバーをまず第１の冷却体にルーズに差し被せ、次いで第２の冷却体を支持基板および／または第１の冷却体に差し被せることができる。次いで、第１の冷却体と第２の冷却体とを、たとえばねじ結合によって押し合わせるか、または引き合わせることができる。これにより、前記カバーは第１の冷却体と第２の冷却体との間に締付け固定されるか、またはプレス固定される。このような組付けは、簡単でかつ別の補助手段なしに実施可能である。
【００４７】
さらに別の有利な構成では、前記カバーが、たとえば装着縁部および／または切欠きを備えた球台形の基本形状を有しており、この場合、前記カバーは、たとえば装着縁部によって第１の冷却体に固定されていて、切欠きは第２の冷却体を収容する。
【００４８】
択一的には、第２の冷却体は前記カバーの表面に隣接することができ、しかも間隔を置いて配置されている（有利には１ｍｍよりも小さな間隔を置いて）か、または前記カバーと接触している。すなわち、第２の冷却体は必ずしも周辺部に対して露出されているわけではなく、第２の冷却体は、前記カバーを通じて外側へ向かって熱を放出することもできる。たとえば前記カバーは第２の冷却体にアーチ状に跨ることができる。さらに前記カバーは、煙突効果を可能にするための切欠きを有していてよい。
【００４９】
前記カバーの光透過性の材料はプラスチック、ガラスまたはセラミックスから製造されていてよい。プラスチックは、特に熱伝導性でかつ十分に熱安定性の光透過性のプラスチック、たとえばポリカーボネートであってよい。一層良好な熱伝導率のために最適化された構成では、光透過性の材料が、より高い熱伝導率を有する粒子で充填されたプラスチックを有している。択一的には前記カバーがガラス、特に１．１Ｗ／（ｍ・Ｋ）よりも高い熱伝導率を有する熱伝導性のガラス、たとえば１．２Ｗ／（ｍ・Ｋ）を有するＢｏｒｏｆｌｏａｔ（登録商標）を有していてよい。択一的には、なお一層高い熱伝導率を有することのできる透明なセラミックス（たとえば透明な酸化アルミニウムセラミックス）を光透過性の材料として使用することができる。前記カバーの高められた熱伝導率により、熱は前記カバーを通じて良好に周辺空気へ放出され得る。
【００５０】
ディフューザの代わりに、一般に透明なカバーを使用することもできる。この場合、透明なカバーはその他の点では、ディフューザ（拡散散乱性のカバー）について説明したように構成されていてよい。
【００５１】
さらに別の改良形では、第２の冷却体が支持基板に配置されている。この場合には、第１の冷却体と第２の冷却体とが互いに接触し合う必要はない。
【００５２】
択一的な別の改良形では、第１の冷却体と第２の冷却体とが、特に環状の支持基板に設けられた中心の切欠きを通じて、互いに接触し合っている。このことは、支持基板の正確な位置決め、特にセンタリングを可能にする。
【００５３】
特別な改良形では、第１の冷却体と第２の冷却体とが、特にコード化されて接触し合っており、たとえば歯列を付与されて互いに係合している。こうして、第１第２の両冷却体の相互角度位置が簡単に規定され得る。このことは、たとえば両冷却体を通って案内されたねじ孔の位置調整のために有利である。付加的に支持基板も、両冷却体のうちの少なくとも一方の冷却体にコード化されて接触していてよく、たとえば支持基板の内縁部の嵌合構造およびたとえば第１の冷却体および／または第２の冷却体の環状の範囲の外周面の嵌合構造によって接触することができる。
【００５４】
さらに別の有利な構成では、当該照明装置が白熱ランプ代替ＬＥＤレトロフィットランプである。（透明または拡散散乱性の）カバーはその場合、たとえば外側でほぼ球欠形もしくは球冠形に形成されていてよい。当該照明装置が白熱ランプ代替ＬＥＤレトロフィットランプであるので、当該照明装置はその外側輪郭に関して特に、代替えしたい光線集束なしのクラシカルな全般照明白熱ランプに相当することができる。
【００５５】
白熱ランプ代替ＬＥＤレトロフィットランプは、長手方向軸線に関してほぼ回転対称的な外側輪郭を有している。白熱ランプ代替ＬＥＤレトロフィットランプの一方の端部には、少なくとも２つの電気的なコンタクトを備えたベースが設けられており、この場合、ベースはＥ１４ベース、Ｅ２７ベースまたはバヨネット型ベースとして、あるいはさらに別の形に形成されていてよい。ベースはフレーム内での当該照明装置の位置固定コンタクティングを可能にする。前記ベースは特に当該照明装置の後端部を規定する。
【００５６】
特に白熱ランプ代替ＬＥＤレトロフィットランプのためには、支持基板が、当該照明装置の最も広幅の個所（「赤道」）の前方に配置されていてよい。
【００５７】
それに対して、従来の全ての白熱ランプ代替ＬＥＤレトロフィットランプでは、ＬＥＤボードが赤道に、つまり白熱ランプ代替ＬＥＤレトロフィットランプの最も太い個所に正確に位置しているか、またはそれどころかその背後に、つまり白熱ランプにおいて「ネック」と呼称され得る範囲に位置している。この場合の欠点は、これによって第１の冷却体が不必要に小さくなってしまうことである。しかし、提案された構成では、第１の冷却体が特に大きく形成されているので、増幅された冷却作用の他に、ドライバ基板もベースおよびベース内に収納されたドライバ電子装置から大きく遠ざけられている。その有利な効果は、前記少なくとも１つの光源とドライバ電子装置とが、一層良好に熱的に互いに分離されていることである。このことは特に望ましい：２０Ｗまでの出力範囲では、ドライバ電子装置が典型的には、実際に重要となる固有の損失熱を発生させない。それゆえに、ドライバ電子装置はほとんど未冷却のまま放置され得る。（過度に）小さな第１の冷却体の場合、ドライバ電子装置は前記少なくとも１つの光源によって、第１の冷却体により冷却されるよりも強力に加熱されてしまう恐れがある。その場合、第１の冷却体は熱伝導体に変性してしまい、このことは、しばしば不十分となる光源の冷却と共に、従来の全ての白熱ランプＬＥＤ代替レトロフィットランプの問題となる。
【００５８】
それどころか、反射性の第２の冷却体と相まって、支持基板は必ず「赤道平面」よりも前方に位置するようになる。なぜならば、さもないと照明密度が軸方向で直接に前方に向かって過度に弱くなってしまうからである。さらに、このような幾何学的形状に基づき、光透過性の球台形でかつ選択的に不透明なディフューザシェルが、第１の冷却体と第２の冷却体との間に簡単に締付け固定され得ることが容易になる。
【００５９】
前記照明装置により、冷却のために提供されている面積が増大される。その結果、より高い出力と、より高い明るさとを有する照明装置を得ることが可能となる。リフレクタおよび第２の冷却体と光透過性のカバーとの配置により、ほぼ均一な照明を保証することが可能となる。この場合、ベース方向に位置するスペースが一緒に考慮される。
【００６０】
以下に、本発明の実施形態を図面につき詳しく説明する。この場合、図面を見易くするために、同一の構成要素または同一作用の構成要素には、同じ符号が付されている。
【図面の簡単な説明】
【００６１】
【図１】第１実施形態による白熱ランプ代替ＬＥＤレトロフィットランプを斜め側方から見た図である。
【図２】第１実施形態による白熱ランプ代替ＬＥＤレトロフィットランプを、図１と同様に斜め側方から見た輪郭図である。
【図３】第１実施形態による白熱ランプ代替ＬＥＤレトロフィットランプの一部を斜め上方から見た図である。
【図４】第１実施形態による白熱ランプ代替ＬＥＤレトロフィットランプの一部の平面図である。
【図５】第１実施形態による白熱ランプ代替ＬＥＤレトロフィットランプを、図６のＡ−Ａ線に沿って断面して上から図である。
【図６】第１実施形態による白熱ランプ代替ＬＥＤレトロフィットランプを、２つの切断線、つまりＡ−Ａ線およびＢ−Ｂ線と共に示す概略図である。
【図７】第１実施形態による白熱ランプ代替ＬＥＤレトロフィットランプを、図６に示したＢ−Ｂ線に沿って断面して上から見た図である。
【図８】第１実施形態による白熱ランプ代替ＬＥＤレトロフィットランプの一部を斜めから見た断面図である。
【図９】第１実施形態による白熱ランプ代替ＬＥＤレトロフィットランプを側方から見た断面図である。
【図１０】第２実施形態による白熱ランプ代替ＬＥＤレトロフィットランプの一部を斜めから見た断面図である。
【図１１】第２実施形態による白熱ランプ代替ＬＥＤレトロフィットランプを側方から見た断面図である。
【図１２】第２実施形態による白熱ランプ代替ＬＥＤレトロフィットランプを斜めから見た輪郭図である。
【図１３】第２実施形態による白熱ランプ代替ＬＥＤレトロフィットランプの一部を第１の冷却体の範囲で示す斜視図である。
【図１４】第２実施形態による白熱ランプ代替ＬＥＤレトロフィットランプを斜め上方から見た図である。
【００６２】
図１には、第１実施形態による白熱ランプ代替ＬＥＤレトロフィットランプ１の形の照明装置が、斜め側方から見た斜視図で、図２には、斜め側方から見た単純化された輪郭図として、図３には斜め上方から見た図で、図４には上から見た平面図で、図６には側面図でそれぞれ図示されている。
【００６３】
白熱ランプ代替ＬＥＤレトロフィットランプ１は後側にベース（口金）２を有している。このベース２は電流供給のために、慣用のエジソン白熱ランプフレームにねじ込むためのエジソンねじ山３を有している。ベース２はエジソンねじ山３の前方に（白熱ランプ代替ＬＥＤレトロフィットランプ１の長手方向軸線にも相当するｚ軸線方向でさらに先に）、ドライバ（図示しない）の少なくとも一部を収容するためのハウジング区分４を有している。ドライバには、エジソンねじ山３を介して電流が供給される。
【００６４】
ベース２には、第１のヒートシンクもしくは第１の冷却体５が装着されている。図７にも図示されているように、この第１の冷却体５は、背後もしくは後方（ｚ方向とは逆方向）に向けられた、白熱ランプ代替ＬＥＤレトロフィットランプ１の長手方向軸線もしくはｚ軸線を中心にして回転対称的に配置された９つの冷却ステー６を有している。これらの冷却ステー６は白熱ランプ代替ＬＥＤレトロフィットランプ１の長手方向軸線もしくはｚ軸線を中心にして角度対称的であり、かつ中心外に配置されている。言い換えれば、冷却ステー６は、その後端部（ｚ軸線の方向とは反対方向に配置された端部）がベース２に載着するように配置されている。冷却ステー６は一様には形成されてはいない。それどころか、大小異なる幅の冷却ステー６が存在しており、この場合、それぞれ３番目の冷却ステー６、つまり２つ置きに配置された冷却ステー６は、一貫した孔２５（図８も参照）を取り囲むことができるようにするために拡幅されている。このように拡幅された冷却ステー６は、形状的に見て２つの小幅の冷却ステー６から構成されていてよく、つまり２つの小幅の冷却ステー６の間隙に材料を充填したものに相当していてよく、その場合、間隙に充填された材料に孔２５が設けられている（図７参照）。
【００６５】
冷却ステー６は、その前側の端部がディスク状の載着範囲７を介して互いに一体に結合されていて、後側ではベース２に載置されている。載着範囲７の表側（長手方向に向けられた側）には、環状のＬＥＤボード（プリント配線板）８の形の支持基板が取り付けられていて、たとえば接着されかつ／または圧着されている。
【００６６】
すなわち、ＬＥＤボード８の裏側は、第１の冷却体５に、より正確に云えば第１の冷却体５の載着範囲７に取り付けられている。ＬＥＤボード８の表側は複数（この場合：１２個）の発光ダイオード９を備えている。図５にも図示されているように、これらの発光ダイオード９は、前方へ向かって（ｚ方向に向かって）主放射方向を有していてよい（たとえばいわゆる「ＴＯＰ−ＬＥＤ」）。
【００６７】
発光ダイオード９は、ＬＥＤボード８の表側に装着された第２のヒートシンクもしくは第２の冷却体１０を対称的にかつ環状に取り囲むように配置されている。第２の冷却体１０はＬＥＤボード８から起立しているか、もしくは前方に向かって発光ダイオード９を越えて延びている。第２の冷却体１０は環状または円（中空）筒状の範囲もしくはリング１１を有しており、このリング１１はＬＥＤボード８に載置されている。リング１１は円筒状の内周面を有している。
【００６８】
図８および図９にも図示されているように、リング１１の前側の端部のところで、このリング１１は側方で内側および外側へ向かって膨らんでいる。言い換えれば、第２の冷却体１０の環状の範囲またはリング１１にはキャップ１２が被せられる。このキャップ１２は、リング１１を上側に対してカバーする範囲（「カバー」）をも、側方で外側へ向かって延びるつばをも有している。キャップ１２は球冠状の外側輪郭を有している。キャップ１２はさらに複数の垂直なねじ孔１５と、マウント切欠き１６とを有している。
【００６９】
第２の冷却体１０のリング１１とキャップ１２とは、たとえば金属鋳造法によって一体に成形されている。第２の冷却体１０は冷却フィンまたは別の冷却構造を備えていてよい。
【００７０】
したがって、ＬＥＤボード８は両側で第１および第２の冷却体５，１０と機械的および熱的に接触している。このことは、ＬＥＤボード８の特に効果的な熱導出および発光ダイオード９の特に効果的な冷却ならびに特にコンパクトな構造を可能にする。特に、ＬＥＤボード８は、慣用のレトロフィットランプの場合よりもさらに上部に配置されていてよく、特に白熱ランプ代替ＬＥＤレトロフィットランプ１の最も広幅の個所Ｑ（「赤道」）よりも上方に（ｚ方向でさらに先に）に配置されていてよく、したがって、第１の冷却体５のために、より多くのスペースおよび冷却面を提供する。
【００７１】
第２の冷却体１０はさらに部分的に（拡散または鏡面）反射性に形成されているので、発光ダイオード９により放射された光線は部分的に第２の冷却体１０において反射される。特に第２の冷却体１０の外周面１４は反射性に形成されていてよい。発光ダイオード９は第２の冷却体１０に関して側方で外側に配置されているか、もしくは第２の冷却体１０はこれらの発光ダイオード９の間の中央に位置しているので、発光ダイオード９から外周面１４へ放射された光線は、とりわけ側方で外側へ向かって反射される。このときに、拡散反射（散乱）により、一層均一な光線放射が生ぜしめられる。特にキャップ１２の範囲において外周面１４が長手方向軸線に対して外側へ向かって傾けられれば傾けられるほど、白熱ランプ代替ＬＥＤレトロフィットランプ１はますます強力に後方へ向かって（後側の半割室内へ向かって）著しく光線を放射させることもできる。
【００７２】
それにもかかわらず、白熱ランプ代替ＬＥＤレトロフィットランプ１の主放射方向は主として前方へ（ｚ方向）向けられている。なぜならば、発光ダイオード９は平面図で見て第２の冷却体１０によって遮蔽されていないか、または少なくとも完全には遮蔽されていないからである（図４をも参照）。この場合、第２の冷却体１０の投影により、白熱ランプ代替ＬＥＤレトロフィットランプ１の前方には、直接に発光ダイオード９によって照射されない円錐状の範囲が生じる。発光ダイオード９と第２の冷却体１０の中心もしくは長手方向軸線との間隔および第２の冷却体１０の直径、特にキャップ１２の直径を介して、この投影の先端を変化させることができる。重なり度は、この構造において一般に任意に調節され得る。ディフューザ１３（下記の説明参照）を介して、間接的に光線をこの範囲へ放射させることができる。
【００７３】
白熱ランプ代替ＬＥＤレトロフィットランプ１が傾倒させられると、傾斜角度と共に（空間的な）ｚ方向における光線流は減少する。主放射方向のずれによる以外に、このことは、発光ダイオード９が部分的に遮蔽されることによっても行われる。第２の冷却体１０の形状を一般に照明の光学的な要求に適合させることができる。
【００７４】
光線流をさらに均一化するために、かつ損傷に対する保護手段として、白熱ランプ代替ＬＥＤレトロフィットランプ１はさらに、プラスチックまたはガラスから成る乳白色のディフューザ１３を有している。このディフューザ１３は球台形（kugelschichtfoermig）に形成されている。ディフューザ１３に設けられた中央の切欠きにより、第２の冷却体１０が収容されており、第１の冷却体５にはディフューザ１３の縁部が載着されている。ディフューザ１３と第２の冷却体１０とは、１つのカバーエレメントとしても構成され、その後に白熱ランプ代替ＬＥＤレトロフィットランプ１に装着され得る。その場合、このカバーエレメントは、半球よりも小さな部分球形の輪郭と、部分的にのみ光透過性である面と、冷却体機能および／またはリフレクタ機能とを備えたランプバルブに相当する。ディフューザ１３は面取り部を介して第１および第２の冷却体５，１０内に位置決めされて、たとえば溝を介して相対回動不能に装着され得る。
【００７５】
図８には、白熱ランプ代替ＬＥＤレトロフィットランプ１の一部が斜めから見た断面図として示されており、図９には、白熱ランプ代替ＬＥＤレトロフィットランプ１が側方から見た断面図で示されている。ハウジング区分４には、発光ダイオード９を作動させるためのドライバ（図示しない）のための収容室１７が設けられている。ドライバとＬＥＤボード８との間の（図示されていない）電気的な線路、たとえば線材またはケーブルは、ドライバキャビティもしくはハウジング区分４から真ん中の通路（ケーブル通路）を通って延びている。この通路は上側の管片１９と、第１の冷却体５に設けられた貫通案内管２０と、ＬＥＤボード８に設けられた貫通案内開口２１とにより形成される。ＬＥＤボード８には、発光ダイオード９の他に別の電子構成素子２２が設けられている。
【００７６】
キャップ１２の、リング１１を覆っている範囲（カバー）はフラットに形成されているので、キャップ１２と、リング１１の内周面と、ＬＥＤボード８とは、ほぼ円筒状の中空室２３を形成する。電子構成素子２２（たとえばドライバ素子）は、この中空室２３内でＬＥＤボード８に設けられていて、こうして外側に位置する発光ダイオード９に対して機械的に分離されており、しかも直接に手が届かないように防護されている。
【００７７】
照明装置もしくは白熱ランプ代替ＬＥＤレトロフィットランプ１を組み立てるためには、図７にも図示されているように、第１の冷却体５が、角度対称的に配置された３つの冷却ステー６に、垂直方向に一貫して延びるそれぞれ１つの孔２５を有している。これらの孔２５はそれぞれベース側で狭められて、ねじ孔１８を形成している。第１の冷却体５をベース２に結合させるためには、まず第１の冷却体５がベース２に当て付けられる（またはベース２が第１の冷却体５に当て付けられる）。次いで、上方からねじ（図示しない）が孔２５内に挿入され、ねじのピンはねじ孔１８を通って案内され、この場合、ねじ孔１８はねじ頭のための受けを成す。次いで、このねじをベース２に螺入させることができる。このためには、ベース２が、ねじ山なしのねじ孔またはねじ山を備えたねじ孔を有していてよい（図示しない）。択一的に、ねじはタッピンねじ山を有していてよい。その場合には、ねじ孔（たとえば盲孔）を不要にすることができる。その場合、前記少なくとも１つのねじのねじ山は、たとえばベース２に設けられた相応する対応部材へ切り込む。特に有利なねじ形態は、長尺で平滑な軸部を備えたタッピン式（自己ねじ立て式）の六角穴付きねじまたはトルクスねじ（Torx-Schraube）もしくはヘックスローブねじである。軸部の直径は少なくともねじ山の外径に相当していることが望ましい。こうして、前記少なくとも１つのねじを、センタリングのためにも利用することができる。
【００７８】
第２の冷却体１０を第１の冷却体５に結合するためには、第２の冷却体１０が同じく、垂直方向に一貫して延びる複数のねじ孔１５を有している。これらのねじ孔１５はキャップ１２と、環状の範囲もしくはリング１１とを貫いて延びていて、支持基板８または第１の冷却体５に面した側の端部において、狭められてねじ孔２４を形成している（図９参照）。各ねじ孔２４に整合するように、支持基板８にはそれぞれねじ孔２６が加工成形されており、さらに第１の冷却体５の載着範囲７には盲孔２７が加工成形されている。盲孔２７はねじ山を有していてもよいし、あるいはまたねじ山なしに形成されていてもよい。
【００７９】
第１の冷却体５を第２の冷却体１０に結合するためには、まず第２の冷却体１０をＬＥＤボード８に当て付けることができる（またはＬＥＤボード８を第２の冷却体１０に当て付けてもよい）。次いで、前方からねじ孔１５内にねじ（図示しない）が挿入され、そしてねじのピンがねじ孔２６を通って案内される。次いで、この盲孔２７内にねじ込んで係合させることができる。
【００８０】
第２の冷却体１０を当て付ける前に、第１の冷却体５にディフューザ１３を装着することができる。これにより、第２の冷却体１０の当付け後にねじを締め付けることにより、両冷却体５，１０の間にディフューザ１３を固く締付け固定することができる。
【００８１】
図１０には、第２実施形態による白熱ランプ代替ＬＥＤレトロフィットランプ３１の一部が、斜めから見た断面図で示されており、図１１には、白熱ランプ代替ＬＥＤレトロフィットランプ３１が側方から見た断面図として示されており、図１２には、白熱ランプ代替ＬＥＤレトロフィットランプ３１が斜視図で示されており、図１３には、第１の冷却体５の載着範囲７におけるディフューザ１３なしの白熱ランプ代替ＬＥＤレトロフィットランプ３１の一部が斜視図で示されており、図１４には、白熱ランプ代替ＬＥＤレトロフィットランプ３１が、斜め上方から見た図で示されている。
【００８２】
第１実施形態の白熱ランプ代替ＬＥＤレトロフィットランプ１とは異なり、第２実施形態では、第２の冷却体３２が、垂直方向に一貫して延びる中央の空気通過通路３３を有している。この空気通過通路３３は、側方に続いたマウント切欠き１６と、第２の冷却体３２を組み付けるためのねじ孔１５とを有している。これらのねじ孔１５は、下方もしくは後方へ向かって貫通案内されたねじ孔２４が設けられている点でのみ、マウント切欠き１６と区別される。
【００８３】
第２の冷却体３２の空気通過通路３３は、ＬＥＤボード８に設けられた、空気通過開口３５ａとして働く切欠きと、第１の冷却体５の載着範囲７に設けられた空気通過開口３５ｂとに重なり合って整合するように位置しているので、第２の冷却体３２の上面から載着範囲７の下面にまで一貫して延びる空気通路３３，３５ａ，３５ｂが生ぜしめられる。もはや貫通案内管２０が存在していないので、この空気通路３３，３５ａ，３５ｂは後側で、開いた空気室３６に開口している。この空気室３６は冷却ステー６によってルーズに取り囲まれている。こうして運転中に、白熱ランプ代替ＬＥＤレトロフィットランプ３１が垂直な姿勢または斜めの姿勢をとった状態では、第２の冷却体１０の加熱によって煙突効果を形成することができる。煙突効果が生じると、開いた空気室３６から空気が空気通過通路３３を通って加速して流れるようになる（またはひっくり返された向きでは逆に空気通過通路３３から空気室３６を通って流れる）。これにより、より強力な冷却が得られる。
【００８４】
ドライバからＬＥＤボード８への１つまたは複数の電気的な線路を貫通案内するためには、ケーブル通路が、前記孔のうちの１つの孔２５と組み合わされる。この孔２５は、前記冷却ステー６のうちの１つを通って上方へ向かってＬＥＤボード８にまで延びている。このためには、この１つの孔２５が拡幅されており、管片１９は、下方もしくは後方からこの孔２５に突入するように中心外に配置されている。相応して、ＬＥＤボード８は中心の空気通過開口３５ａに対して付加的に、側方にずらされた（中心外の）貫通案内開口２１を有している。この貫通案内開口２１はケーブル貫通案内のために、第２の冷却体３２に設けられた、側方に開いた切欠き３８に開口している。
【００８５】
図１０および図１１に示したように、ベース２は（長手方向軸線に関して）中心の範囲において、前方に向かって膨出されていてよい。したがって、この膨出部３４は前方に向かって冷却ステーの方向または冷却ステー内へ延びている。これにより、白熱ランプ代替ＬＥＤレトロフィットランプ３１が下方へ向けられて取り付けられた場合には、ベース２における熱滞留、ひいては収容室１７（ドライバキャビティ）の周辺部における熱滞留が阻止され、このことは冷却作用を一層改善する。
【００８６】
当然ながら、本発明は図示の実施形態に限定されるものではない。
【００８７】
すなわち、発光ダイオード以外の光源を使用することもできる。
【００８８】
また、当該照明装置は別形式の後付けランプもしくはレトロフィットランプ、たとえばハロゲン放射器代替レトロフィットランプ、あるいは別形式の電灯、照明システムまたはその一部に関していてもよい。
【００８９】
また、ディフューザは第２の冷却体にアーチ状に跨っていてもよい。
【００９０】
さらに、第１の冷却体と第２の冷却体とは互いに接触し合うことができ、特にコード化されて接触し合うことができる。このためには、たとえば第２実施形態によるＬＥＤボード８の空気通過開口３５ａが、空気通過通路３３および第２実施形態の第１の冷却体５の通過開口３５ｂよりも広幅に形成されていてよい。これにより、たとえば第２の冷却体３２および／または第１の冷却体５は縁部側において空気通過開口３５ａを貫いて延びるか、もしくは空気通過開口３５ａを貫通することができる。たとえば所定の相対的な角度位置または向きを固定するためのコード化のためには、第２の冷却体３２と第１の冷却体５とを、たとえば歯状または櫛状に互いに係合させることができる。
【００９１】
また、当該照明装置またはその一部を、少なくとも１つの中央のねじによって互いに固定することもできる。
【符号の説明】
【００９２】
１  白熱ランプ代替ＬＥＤレトロフィットランプ
２  ベース
３  エジソンねじ山
４  ハウジング区分
５  第１の冷却体
６  冷却ステー
７  載着範囲
８  ＬＥＤボード
９  発光ダイオード
１０  第２の冷却体
１１  リング
１２  キャップ
１３  ディフューザ
１４  外周面
１５  ねじ孔
１６  マウント切欠き
１７  収容室
１８  ねじ孔
１９  管片
２０  貫通案内管
２１  貫通案内開口
２２  電子構成素子
２３  中空室
２４  ねじ孔
２５  孔
２６  ねじ孔
２７  盲孔
３１  白熱ランプ代替ＬＥＤレトロフィットランプ
３２  第２の冷却体
３３  空気通過通路
３４  膨出部
３５ａ  ＬＥＤボードに設けられた空気通過開口
３５ｂ  第１の冷却体に設けられた空気通過開口
３６  開いた空気室
３８  第２の冷却体に設けられた切欠き
ｚ  ｚ軸線／長手方向軸線
【図１】
2013517609.tif 000003
【図２】
2013517609.tif 000004
【図３】
2013517609.tif 000005
【図４】
2013517609.tif 000006
【図５】
2013517609.tif 000007
【図６】
2013517609.tif 000008
【図７】
2013517609.tif 000009
【図８】
2013517609.tif 000010
【図９】
2013517609.tif 000011
【図１０】
2013517609.tif 000012
【図１１】
2013517609.tif 000013
【図１２】
2013517609.tif 000014
【図１３】
2013517609.tif 000015
【図１４】
2013517609.tif 000016
【手続補正書】
【提出日】平成24年11月19日(2012.11.19)
【手続補正１】
【補正対象書類名】図面
【補正対象項目名】図９
【補正方法】変更
【補正の内容】
【図９】
2013517609.tif 000017
【手続補正２】
【補正対象書類名】図面
【補正対象項目名】図１０
【補正方法】変更
【補正の内容】
【図１０】
2013517609.tif 000018
【国際調査報告】
2013517609.tif 000019
2013517609.tif 000020
2013517609.tif 000021
2013517609.tif 000022
2013517609.tif 000023
2013517609.tif 000024